(57)【要約】【課題】  チップシールの渦巻始端部の磨耗が抑制されたスクロール型圧縮機を提供する。【解決手段】  中心部に吐出孔が形成された端板と端板に立設された渦巻体とを有する固定スクロールと、固定スクロールの渦巻体の端面に形成されたチップシール固定溝に嵌合固定されたチップシールと、端板と端板に立設され固定スクロールの渦巻体と噛み合って複数対の作動空間を形成する渦巻体とを有する可動スクロールと、可動スクロールの渦巻体の端面に形成されたチップシール固定溝に嵌合固定されたチップシールと、主軸と、主軸の回転を旋回運動に変換して可動スクロールに伝達する旋回駆動機構と、可動スクロールの自転防止機構とを備え、チップシールは、渦巻体始端部端面の全面を覆っている。【選択図】  図２
2007211757.tif 000002
【特許請求の範囲】
【請求項１】
中心部に吐出孔が形成された端板と端板に立設された渦巻体とを有する固定スクロールと、固定スクロールの渦巻体の端面に形成されたチップシール固定溝に嵌合固定されたチップシールと、端板と端板に立設され固定スクロールの渦巻体と噛み合って複数対の作動空間を形成する渦巻体とを有する可動スクロールと、可動スクロールの渦巻体の端面に形成されたチップシール固定溝に嵌合固定されたチップシールと、主軸と、主軸の回転を旋回運動に変換して可動スクロールに伝達する旋回駆動機構と、可動スクロールの自転防止機構とを備え、チップシールは、渦巻体始端部端面の全面を覆っていることを特徴とするスクロール型圧縮機。
【請求項２】
渦巻体始端部端面までチップシール固定溝が延在していることを特徴とする請求項１に記載のスクロール型圧縮機。
【請求項３】
渦巻体始端部端面のチップシール固定溝は他部に比べて深いことを特徴とする請求項２に記載のスクロール型圧縮機。
【請求項４】
渦巻体始端部端面のチップシール固定溝は他部に比べて浅いことを特徴とする請求項２に記載のスクロール型圧縮機。
【請求項５】
渦巻体始端部端面はチップシール固定溝の無い平坦面であり、チップシールは渦巻体始端部端面に接着固定されていることを特徴とする請求項１に記載のスクロール型圧縮機。
【発明の詳細な説明】
【技術分野】
【０００１】
本発明はスクロール型圧縮機に関するものである。
【背景技術】
【０００２】
中心部に吐出孔が形成された端板と端板に立設された渦巻体とを有する固定スクロールと、固定スクロールの渦巻体の端面に形成されたチップシール固定溝に嵌合固定された矩形断面のチップシールと、端板と端板に立設され固定スクロールの渦巻体と噛み合って複数対の作動空間を形成する渦巻体とを有する可動スクロールと、可動スクロールの渦巻体の端面に形成されたチップシール固定溝に嵌合固定された矩形断面のチップシールと、主軸と、主軸の回転を旋回運動に変換して可動スクロールに伝達する旋回駆動機構と、可動スクロールの自転防止機構とを備えるスクロール型圧縮機が特許文献１等に開示されている。
チップシールの配設により、一方のスクロールの渦巻体と他方のスクロールの端板との摺動接触が回避され、該部の溶着が回避される。
【特許文献１】特開２００５−１６３６７１号公報
【発明の開示】
【発明が解決しようとする課題】
【０００３】
渦巻体の始端部は外周部に比べて高温になり熱膨張するので、チップシールの渦巻始端部に高い面圧が発生して該部が磨耗し、渦巻体と相手方端板とが摺動接触して、該部が溶着するおそれがある。
本発明は上記問題に鑑みてなされたものであり、チップシールの渦巻始端部の磨耗が抑制されたスクロール型圧縮機を提供することを目的とする。
【課題を解決するための手段】
【０００４】
上記課題を解決するために、本発明においては、中心部に吐出孔が形成された端板と端板に立設された渦巻体とを有する固定スクロールと、固定スクロールの渦巻体の端面に形成されたチップシール固定溝に嵌合固定されたチップシールと、端板と端板に立設され固定スクロールの渦巻体と噛み合って複数対の作動空間を形成する渦巻体とを有する可動スクロールと、可動スクロールの渦巻体の端面に形成されたチップシール固定溝に嵌合固定されたチップシールと、主軸と、主軸の回転を旋回運動に変換して可動スクロールに伝達する旋回駆動機構と、可動スクロールの自転防止機構とを備え、チップシールは、渦巻体始端部端面の全面を覆っていることを特徴とするスクロール型圧縮機を提供する。
本発明に係るスクロール型圧縮機においては、チップシールは、渦巻体始端部端面の全面を覆っているので、チップシール固定溝に固定された従来の矩形断面のチップシールに比べて、チップシールの渦巻始端部の受圧面積が広い。この結果チップシールの渦巻始端部の面圧が従来に比べて低減し、チップシールの渦巻始端部の磨耗が従来に比べて抑制される。
【０００５】
本発明の好ましい態様においては、渦巻体始端部端面までチップシール固定溝が延在している。
本発明の好ましい態様においては、渦巻体始端部端面のチップシール固定溝は他部に比べて深い。
本発明の好ましい態様においては、渦巻体始端部端面のチップシール固定溝は他部に比べて浅い。
チップシール固定溝を渦巻体始端部端面まで延在させることにより、チップシールを渦巻体始端部端面に確実に固定することができる。
渦巻体始端部端面のチップシール固定溝は他部と同一深さでも良く、他部に比べて深くても良く、或いは他部に比べて浅くても良い。深くした場合には、チップシール渦巻始端部のバネ定数が減少し、該部が変形しやすくなるので、該部の磨耗が抑制される。浅くした場合には、チップシールの取付け作業が容易になる。
【０００６】
本発明の好ましい態様においては、渦巻体始端部端面はチップシール固定溝の無い平坦面であり、チップシールは渦巻体始端部端面に接着固定されている。
渦巻体始端部端面をチップシール固定溝の無い平坦面としても良い。溝形成の手間が省ける。この場合、チップシールを渦巻体始端部端面に接着固定することになる。
【発明の効果】
【０００７】
本発明に係るスクロール型圧縮機においては、チップシールは、渦巻体始端部端面の全面を覆っているので、チップシール固定溝に固定された従来の矩形断面のチップシールに比べて、チップシールの渦巻始端部の受圧面積が広い。この結果チップシールの渦巻始端部の面圧が従来に比べて低減し、チップシールの渦巻始端部の磨耗が従来に比べて抑制される。
【発明を実施するための最良の形態】
【０００８】
本発明の実施例に係るスクロール型圧縮機を説明する。
図１に示すように、スクロール型圧縮機Ａは、端板１ａと渦巻体１ｂとを有する固定スクロール１と、端板２ａと渦巻体２ｂとを有する可動スクロール２とを備えている。渦巻体１ｂ、２ｂは互いに噛み合い、複数対の作動空間３を形成している。
スクロール型圧縮機は、ケーシング４ａとフロントハウジング４ｂとを備えている。ケーシング４ａとフロントハウジング４ｂとは一体に接合され、固定スクロール１と可動スクロール２とを収容するハウジング４を形成している。
固定スクロールの端板１ａはケーシング４ａに嵌合固定されている。嵌合固定部をシールするＯリングが配設されている。端板１ａを境にして、ハウジング４内に吸入室５と吐出室６とが形成されている。
固定スクロールの端板１ａの中心に吐出孔１ｃが形成されている。吐出孔１ｃは端板１ａに取り付けられた吐出弁を介して吐出室６に連通している。
フロントハウジング４ｂに形成された図示しない吸入ポートが吸入室５に連通している。吸入ポートは空調装置の低圧側回路に接続している。
ケーシング４ａに形成された図示しない吐出ポートが吐出室６に連通している。吐出ポートは空調装置の高圧側回路に接続している。
【０００９】
吸入室５内に主軸７が配設されている。主軸７はラジアルベアリング８、９を介してフロントハウジング４ｂに回転可能に支持されている。主軸７の一端はフロントハウジング４ｂの外部へ突出している。
電磁クラッチ１０が、ラジアルベアリング１１を介してフロントハウジング４ｂに回転可能に支持されている。
主軸７の他端に偏心ピン１２が固定されている。ブッシュ１３が偏心ピン１２に摺動可能に外嵌合している。ブッシュ１３はラジアルベアリング１４を介して可動スクロール２の端板２ａの背面に形成されたボス２ｃ内に収容されている。
可動スクロール２とフロントハウジング４ｂとの間にボールカップリング１５が配設されている。
【００１０】
図１、２に示すように、固定スクロールの渦巻体１ｂの端面に形成されたチップシール固定溝１ｄにチップシール１６が嵌合固定されている。チップシール固定溝１ｄは、渦巻体１ｂ端面始端部まで延在している。チップシール１６は渦巻体１ｂ端面の始端部全面を覆っている。チップシール１６の断面形状は、渦巻始端部を除いて矩形であるが、渦巻始端部は凸形である。同様に、可動スクロールの渦巻体２ｂの端面に形成されたチップシール固定溝２ｄにチップシール１７が嵌合固定されている。チップシール固定溝２ｄは、渦巻体２ｂ端面始端部まで延在している。チップシール１７は渦巻体２ｂ端面の始端部全面を覆っている。チップシール１７の断面形状は、渦巻始端部を除いて矩形であるが、渦巻始端部は凸形である。
【００１１】
本実施例に係るスクロール型圧縮機Ａにおいては、図示しない駆動源の動力が電磁クラッチ１０を介して主軸７の一端に伝達され、主軸７が回転駆動される。主軸７の回転が偏心ピン１２とブッシュ１３とにより旋回運動に変換されて可動スクロール２に伝達され、可動スクロール２が旋回運動する。空調装置の低圧側回路から吸入ポートを通って吸入室５へ吸引された冷媒ガスが、渦巻体１ｂ、２ｂによって形成される外周側の一対の作動空間３内に取り込まれる。ボールカップリング１５により可動スクロール２の自転が阻止される。
一対の作動空間３が体積を減少させつつ固定スクロール１の中心へ向けて移動し、作動空間３内の冷媒ガスが圧縮される。圧縮された冷媒ガスは、固定スクロール１の端板１ａに形成された吐出孔１ｃと吐出弁とを介して吐出室６へ吐出し、吐出ポートを通って空調装置の高圧側回路へ流出する。
【００１２】
本実施例に係るスクロール型圧縮機においては、チップシール１６、１７は、渦巻体１ｂ、２ｂ始端部端面の全面を覆っているので、チップシール固定溝に固定された従来の矩形断面のチップシールに比べて、チップシール１６、１７の渦巻始端部の受圧面積が広い。この結果チップシール１６、１７の渦巻始端部の面圧が従来に比べて低減し、チップシール１６、１７の渦巻始端部の磨耗が従来に比べて抑制される。
チップシール固定溝１ｄ、２ｄを渦巻体１ｂ、２ｂ始端部端面まで延在させることにより、チップシール１６、１７を渦巻体１ｂ、２ｂ始端部端面に確実に固定することができる。
【００１３】
渦巻体１ｂ、２ｂ始端部端面のチップシール固定溝１ｄ、２ｄは他部と同じ深さでも良く、他部に比べて深くても良く、或いは他部に比べて浅くても良い。
他部に比べて深くした場合には、チップシール１６、１７の渦巻始端部のバネ定数が減少し、該部が変形しやすくなるので、該部の磨耗が抑制される。浅くした場合には、チップシール１６、１７の取付け作業が容易になる。
【００１４】
図３に示すように、渦巻体１ｂ始端部端面をチップシール固定溝１ｄの無い平坦面としても良い。溝形成の手間が省ける。この場合、チップシール１６を渦巻体１ｂ始端部端面に接着固定することになる。渦巻体２ｂに取り付けるチップシール１７についても上記と同様にしても良い。
【産業上の利用可能性】
【００１５】
本発明は、渦巻体の端面にチップシールが取り付けられたスクロール型圧縮機に広く利用可能である。
【図面の簡単な説明】
【００１６】
【図１】本発明の実施例に係るスクロール型圧縮機の断面図である。
【図２】本発明の実施例に係るスクロール型圧縮機の固定スクロール渦巻体の始端部端面の構造図である。（ａ）は端面の正面図であり、（ｂ）は（ａ）のｂ−ｂ矢視図であり、（ｃ）は（ａ）のｃ−ｃ矢視図である。
【図３】本発明の他の実施例に係るスクロール型圧縮機の固定スクロール渦巻体の始端部端面の構造図である。（ａ）は端面の正面図であり、（ｂ）は（ａ）のｂ−ｂ矢視図であり、（ｃ）は（ａ）のｃ−ｃ矢視図である。
【符号の説明】
【００１７】
１  固定スクロール
１ａ  端板
１ｂ  渦巻体
１ｃ  吐出孔
１ｄ  チップシール固定溝
２  可動スクロール
２ａ  端板
２ｂ  渦巻体
２ｄ  チップシール固定溝
４  ハウジング
５  吸入室
６  吐出室
１６、１７  チップシール
【図１】
2007211757.tif 000003
【図２】
2007211757.tif 000004
【図３】
2007211757.tif 000005